(57)【特許請求の範囲】
【請求項１】
用紙に印刷するためのプリンタヘッドと、前記用紙の紙送りを行うためのプラテンローラとを有するプリンタユニットにおいて、
前記プリンタユニットは、前記プリンタヘッドを有するプリンタモジュールと、固定刃モジュールと、可動刃モジュールと、前記可動刃モジュールを駆動するための駆動モジュールと、を有し、
前記固定刃モジュールは固定刃を有し、前記可動刃モジュールには可動刃を有し、前記可動刃がスライドすることにより、前記固定刃と前記可動刃とによって、前記プリンタヘッドにより印刷された前記用紙を切断するものであって、
前記駆動モジュールは、可動刃用モータを有するモータモジュールと、前記可動刃用モータの回転を伝達する駆動ギアモジュールと、を有し、
前記プリンタモジュールには、前記プラテンローラを回転させるための紙送り用モータが設けられており、
前記可動刃モジュールには、前記プラテンローラが設けられており、
前記プリンタモジュール、前記固定刃モジュール、前記可動刃モジュール及び前記駆動モジュールは、相互に脱着可能な状態で接続されていることを特徴とするプリンタユニット。
【請求項２】
前記脱着可能な状態は、嵌合状態であることを特徴とする請求項１に記載のプリンタユニット。
【請求項３】
前記プリンタモジュールと前記固定刃モジュールとを脱着可能な状態で接続することにより、オートカッタ機能を有しないプリンタユニットが構成されるものであることを特徴とする請求項１または２に記載のプリンタユニット。
【請求項４】
前記モータモジュールと前記駆動ギアモジュールとは、相互に脱着可能な状態で接続されていることを特徴とする請求項１から３のいずれかに記載のプリンタユニット。
【請求項５】
前記プリンタモジュールには、前記紙送り用モータの回転を前記プラテンローラに伝達するためのギア部が設けられていることを特徴とする請求項１から４のいずれかに記載のプリンタユニット。
【請求項６】
前記プリンタモジュールの側面には、逆メサ状の溝を有する凹部を有しており、
前記駆動モジュールの側面には、前記凹部に対応する形状の逆メサ状に形成された凸部を有しており、
前記プリンタモジュールに対し、前記駆動モジュールが上側となる位置に配置し、前記プリンタモジュールの前記凹部に、前記駆動モジュールの前記凸部を挿入した状態で、前記駆動モジュールと前記プリンタモジュールとを相対的にスライドさせて、前記凸部が前記凹部に入り込んだ状態で嵌合させることを特徴とする請求項１から５のいずれかに記載のプリンタユニット。
【請求項７】
前記駆動モジュールには、前記プリンタモジュールの側面方向に変位可能なバネ性を有するロック部が設けられており、前記凸部が前記凹部に入り込んだ状態で、前記プリンタモジュールに設けられた引掛け部に前記ロック部が引掛かかることを特徴とする請求項６に記載のプリンタユニット。
【請求項８】
前記プリンタモジュールより前記駆動モジュールを取り外す際には、前記ロック部を前記駆動モジュール側に押し込み、前記凸部と前記凹部とを挿入時と逆方向にスライドさせることを特徴とする請求項７に記載のプリンタユニット。
【発明の詳細な説明】
【技術分野】
【０００１】
本発明は、オートカッタ装置及びプリンタユニットに関する。
【背景技術】
【０００２】
ＰＯＳ端末や発券端末には、小型のサーマルプリンタユニットが組み込まれており、連続する用紙を自動的に切断する機能を備えたもの、または、手で引っ張ることにより用紙を切断するもの等がある。
【０００３】
連続する用紙を自動的に切断する機能を備えたサーマルプリンタユニットの場合では、サーマルヘッドとプラテンとモータとを備えた構成のサーマルプリンタユニット本体に、用紙を切断するためのオートカッタ装置が取り付けられている。このオートカッタ装置は、固定刃と、可動刃と、可動刃を移動させるモータ等を含む可動刃機構部とを備えている。
【０００４】
一方、手の力により用紙を切断するサーマルプリンタの場合では、上述したサーマルプリンタユニット本体に、固定刃が備えられており、所定の方向に用紙を引っ張ることにより、用紙は固定刃により切断される。
【先行技術文献】
【特許文献】
【０００５】
【特許文献１】特開２００５−２７１２０４号公報
【特許文献２】特開２００９−１４３１００号公報
【発明の概要】
【発明が解決しようとする課題】
【０００６】
ところで、図１に示されるように、連続する用紙を自動的に切断する機能を備えたプリンタユニット（カッタ付きプリンタユニット）１００では、サーマルヘッドを有するプリンタユニット１０１と、用紙を自動的に切断するためのカッタ装置１０２とを組み合わせることにより、連続する用紙を自動的に切断する機能を備えたプリンタユニット１００が作製される。この場合、サーマルヘッドを有するプリンタユニット１０１及びカッタ装置１０２は各々一体化しており、作製されるカッタ付きプリンタユニット１００の組み合わせはネジ留め等によりなされる。このためカッタ付きプリンタユニット１００は大型化し、また、カッタ刃のみを交換する場合においても、内部を分解するかカッタ装置１０２の全体を交換する必要があり、交換の際の時間又は費用が高くなり、メンテナンス費用が高くなってしまうという問題点を有していた。
【０００７】
また、別の構成のカッタ付きプリンタユニットでは、サーマルヘッドを有するプリンタユニット本体部にオートカッタ駆動部（可動刃駆動部）及び固定刃が搭載されており、このプリンタユニット本体部に、可動刃モジュールを組み合わせて接続することによりカッタ付きプリンタユニットが作製されるものである。尚、オートカッタ駆動部は、モータ及び連結ギア等を一体化したものとして構成されている。この構成の場合、プリンタユニット本体部にオートカッタ駆動部が搭載されているため、小型化にすることは可能であるが、オートカッタ駆動部のみを交換することは極めて困難であり、メンテナンス費用が高くなってしまうという問題点は解消しない。
【０００８】
更に、上述のとおり、連続する用紙を自動的に切断する機能を備えた可動刃を備えたサーマルプリンタと、手で引っ張ることにより用紙を切断する固定刃のみを有するサーマルプリンタとは、同様のサーマルプリンタユニット本体部等を有していることから、サーマルプリンタユニット本体部等を共用することができれば、双方のプリンタユニットの低コスト化につながり好ましい。
【０００９】
本発明は、上記に鑑みてなされたものであり、固定刃、可動刃、可動刃駆動部の交換が容易で、短時間に低価格でメンテナンスが可能なオートカッタ装置及びプリンタユニットを提供することを目的とするものである。
【課題を解決するための手段】
【００１０】
本発明は、印刷された用紙を切断するための固定刃モジュールと、可動刃モジュールと、前記可動刃モジュールを駆動するための駆動モジュールと、を有し、前記固定刃モジュールは固定刃を有し、前記可動刃モジュールには可動刃を有し、前記可動刃がスライドすることにより、前記固定刃と前記可動刃とによって、前記用紙を切断するものであって、前記固定刃モジュール、前記可動刃モジュール及び前記駆動モジュールは、相互に脱着可能な状態で接続されていることを特徴とする。
【００１１】
また、本発明は、前記脱着可能な状態は、嵌合状態であることを特徴とする。
【００１２】
また、本発明は、前記駆動モジュールは、可動刃用モータを有するモータモジュールと、前記可動刃用モータの回転を伝達する駆動ギアモジュールと、を有し、前記モータモジュールと前記駆動ギアモジュールとは、相互に脱着可能な状態で接続されていることを特徴とする。
【００１３】
また、本発明は、用紙に印刷するためのプリンタヘッドと、前記用紙の紙送りを行うためのプラテンローラとを有するプリンタユニットにおいて、前記プリンタユニットは、前記プリンタヘッドを有するプリンタモジュールと、固定刃モジュールと、可動刃モジュールと、前記可動刃モジュールを駆動するための駆動モジュールと、を有し、前記固定刃モジュールは固定刃を有し、前記可動刃モジュールには可動刃を有し、前記可動刃がスライドすることにより、前記固定刃と前記可動刃とによって、前記プリンタヘッドにより印刷された前記用紙を切断するものであって、前記駆動モジュールは、可動刃用モータを有するモータモジュールと、前記可動刃用モータの回転を伝達する駆動ギアモジュールと、を有し、前記プリンタモジュールには、前記プラテンローラを回転させるための紙送り用モータが設けられており、前記可動刃モジュールには、前記プラテンローラが設けられており、前記プリンタモジュール、前記固定刃モジュール、前記可動刃モジュール及び前記駆動モジュールは、相互に脱着可能な状態で接続されていることを特徴とする。
【００１４】
また、本発明は、前記脱着可能な状態は、嵌合状態であることを特徴とする。
【００１５】
また、本発明は、前記プリンタモジュールと前記固定刃モジュールとを脱着可能な状態で接続することにより、オートカッタ機能を有しないプリンタユニットが構成されるものであることを特徴とする。
【００１６】
また、本発明は、前記駆動モジュールは、可動刃用モータを有するモータモジュールと、前記可動刃用モータの回転を伝達する駆動ギアモジュールと、を有し、前記モータモジュールと前記駆動ギアモジュールとは、相互に脱着可能な状態で接続されていることを特徴とする。
【００１７】
また、本発明は、前記プリンタモジュールには、前記プラテンローラを回転させるための紙送り用モータが設けられていることを特徴とする。
【００１８】
また、本発明は、前記固定刃モジュールには、前記プラテンローラが設けられていることを特徴とする。
【発明の効果】
【００１９】
本発明によれば、固定刃、可動刃、可動刃駆動部の交換が容易で、短時間に低価格でメンテナンスが可能なオートカッタ装置及びプリンタユニットを提供することができる。
【図面の簡単な説明】
【００２０】
【図１】従来のプリンタユニットの説明図
【図２】本発明における可動刃を有するプリンタユニットの斜視図
【図３】第１の実施の形態におけるプリンタユニットのモジュールごとに分解した斜視図
【図４】第１の実施の形態におけるプリンタユニットの組立方法の説明図（１）
【図５】第１の実施の形態におけるプリンタユニットの組立方法の説明図（２）
【図６】第１の実施の形態におけるプリンタユニットの組立方法の説明図（３）
【図７】第１の実施の形態におけるプリンタユニットの組立方法の説明図（４）
【図８】第１の実施の形態におけるプリンタユニットの組立方法の説明図（５）
【図９】第１の実施の形態におけるプリンタユニットの組立方法の説明図（６）
【図１０】第１の実施の形態におけるプリンタユニットの組立方法の説明図（７）
【図１１】第１の実施の形態におけるプリンタユニットの組立方法の説明図（８）
【図１２】第１の実施の形態におけるプリンタユニットの組立方法の説明図（９）
【図１３】第１の実施の形態におけるプリンタユニットの組立方法の説明図（１０）
【図１４】第１の実施の形態におけるプリンタユニットの組立方法の説明図（１１）
【図１５】第１の実施の形態におけるプリンタユニットの組立方法の説明図（１２）
【図１６】第１の実施の形態におけるプリンタユニットの組立方法の説明図（１３）
【図１７】第１の実施の形態におけるプリンタユニットの組立方法の説明図（１４）
【図１８】第１の実施の形態におけるプリンタユニットの組立方法の説明図（１５）
【図１９】第１の実施の形態におけるプリンタユニットの組立方法の説明図（１６）
【図２０】第１の実施の形態におけるプリンタユニットの組立方法の説明図（１７）
【図２１】第１の実施の形態におけるプリンタユニットの組立方法の説明図（１８）
【図２２】固定刃のみ有するプリンタユニットの組立方法の説明図
【図２３】固定刃のみ有するプリンタユニットの斜視図
【図２４】第２の実施の形態におけるプリンタユニットの説明図
【発明を実施するための形態】
【００２１】
本発明を実施するための形態について、以下に説明する。
【００２２】
〔第１の実施の形態〕
図２及び図３に基づき第１の実施の形態におけるプリンタユニットについて説明する。図２は、本実施の形態におけるプリンタユニット１０の斜視図であり、図３は、本実施の形態におけるプリンタユニット１０を構成する各々のモジュールを示す斜視図である。
【００２３】
本実施の形態におけるプリンタユニット１０は、プリンタヘッドであるサーマルヘッドを有するプリンタモジュール２０と、固定刃モジュール４０と、駆動モジュール５０と、可動刃モジュール６０により構成されており、各々のモジュールは独立しているものとして構成されている。連続する用紙を自動的に切断する機能を備えたプリンタユニット１０は、プリンタモジュール２０と、固定刃モジュール４０と、駆動モジュール５０と、可動刃モジュール６０をすべて組み合わせて接続することにより作製することができる。尚、後述するように、プリンタモジュール２０と固定刃モジュール４０とを組み合わせることにより、手で引っ張ることにより用紙を切断するプリンタユニット（固定刃プリンタユニット）も作製することが可能である。この場合、固定刃モジュール４０の刃をノコギリ刃等にしてもよい。従って、本実施の形態におけるプリンタユニット１０と固定刃プリンタユニットとの間においては、プリンタモジュール２０と固定刃モジュール４０とを共用することが可能である。
【００２４】
次に、本実施の形態におけるプリンタユニット１０の製造方法となる組立方法について説明する。本実施の形態におけるプリンタユニット１０は、前述のとおり、プリンタモジュール２０に、固定刃モジュール４０、駆動モジュール５０、可動刃モジュール６０を順次脱着可能な状態で接続することにより作製される。
【００２５】
最初に、図４及び図５に示すように、プリンタモジュール２０と駆動モジュール５０とを接続する。プリンタモジュール２０は、用紙を送り出すためのモータ（紙送り用モータ）２１及びギア部２２を有しており、駆動モジュール５０は、後述する可動刃を駆動するためのモータ５１及びギア部５２を有している。プリンタモジュール２０におけるモータ２１及びギア部２２は、不図示の用紙（ロール紙）の幅方向の一方の端部側の側面に設けられている。駆動モジュール５０は、プリンタモジュール２０における不図示の用紙の幅方向の他方の端部側の側面において接続される。
【００２６】
具体的には、プリンタモジュール２０の側面には、逆メサ状の溝を有する凹部２３を有しており、駆動モジュール５０の側面には、この凹部２３に対応する形状の逆メサ状（逆台形状）に形成された凸部５３を有している。プリンタモジュール２０に対し、駆動モジュール５０が上側となる位置に配置し、プリンタモジュール２０の凹部２３に、駆動モジュール５０の凸部５３を挿入した状態で、駆動モジュール５０とプリンタモジュール２０とを相対的にスライドさせて、凸部５３が凹部２３に殆ど入り込んだ状態で嵌合させる。駆動モジュール５０には、プリンタモジュール２０の側面方向に変位可能なバネ性を有するロック部５４が設けられており、凸部５３が凹部２３に略完全に入り込んだ状態で、プリンタモジュール２０に設けられた引掛け部２４にロック部５４が引掛かかり、抜けることがないように構成されている。尚、プリンタモジュール２０より駆動モジュール５０を取り外す際には、ロック部５４を駆動モジュール５０側に押し込み、凸部５３と凹部２３とを挿入時と逆方向にスライドさせることにより、取り外すことが可能である。
【００２７】
これにより、図６及び図７に示すように、プリンタモジュール２０と駆動モジュール５０とが接続されたものが出来上がる。この状態におけるプリンタモジュール２０と駆動モジュール５０との接続は嵌合状態による接続であり、脱着可能な状態で接続されている。しかしながら、図７に示すように、駆動モジュール５０のロック部５４は、プリンタモジュール２０に設けられた引っ掛け部２４に引っ掛かった状態となっているため、上述した取外し動作を行わない限り外れることはない。
【００２８】
次に、固定刃モジュール４０を接続する。固定刃モジュール４０の接続方法について、図８、図９及び図１０に基づき説明する。固定刃モジュール４０には固定刃４１が設けられており、更に、プリンタモジュール２０との接続のための、ロック部４２、位置出し用凸部４３、引掛け部４４が設けられている。一方、プリンタモジュール２０には、ロック部挿入部２５、位置出し用凸部挿入部２６、引っ掛け部２７が設けられている。プリンタモジュール２０に固定刃モジュール４０を接続する際には、ロック部４２をロック部挿入部２５に挿入し、位置出し用凸部４３を位置出し用凸部挿入部２６に挿入し、引っ掛け部４４を引っ掛け部２７に引っ掛けることにより接続する。この状態の接続は、嵌合状態で接続されており脱着可能である。これにより、図１１に示すように、プリンタモジュール２０と駆動モジュール５０とが接続されたものに、固定刃モジュール４０が接続されたものが出来上がる。このようにプリンタモジュール２０と固定刃モジュール４０とが嵌合され接続された状態では、図１２に示すようにプリンタモジュール２０の引っ掛け部２７に固定刃モジュール４０の引っ掛け部４４が引っ掛かった状態となっており、図１３に示すように、プリンタモジュール２０のロック部挿入部２５に固定刃モジュール４０のロック部４２が挿入された状態となっている。
【００２９】
次に、可動刃モジュール６０を接続する。具体的には、図１４及び図１５に示されるように、プリンタモジュール２０と固定刃モジュール４０及び駆動モジュール５０が接続されたものに、駆動刃モジュール６０を接続する。図１６及び図１７に示されるように、可動刃モジュール６０は、可動刃６１と可動刃を駆動するためのギア部６２及び機構部６３を有しており、ギア部６２が回転することにより、ギア部６２と噛み合った機構部６３が可動して可動刃６１がスライドする構成となっている。また、可動刃モジュール６０には、プラテンローラ６４が設けられており、プラテンローラ６４の回転軸を中心軸とする軸部６５及び軸部６５に接続された歯車６６を有している。また、可動刃モジュール６０には、接続のために用いられる軸受誘導凸部６７及び倒れ込み防止用ストッパー６８が設けられている。一方、図１８に示すように、プリンタモジュール２０には、可動刃モジュール６０を組み込むための軸受誘導凸部嵌合部２８、軸受部２９、ストッパー対応部３０が設けられている。
【００３０】
図１９、図２０及び図２１に示されるように、駆動刃モジュール６０の取り付けは、軸受誘導凸部６７を軸受部２９より挿入し、軸受誘導凸部嵌合部２８において嵌合させることにより接続される。これにより、可動刃モジュール６０の軸部６５は軸受部２９に入り込み、軸部６５は軸受部２９内において回転可能な状態で保持される。この際、歯車６６は、図４及び図５に示されるギア部２２と噛み合っており、歯車６６は、プリンタモジュール２０におけるモータ２１が回転することによりギア部２２を介し回転する。また、可動刃モジュール６０における倒れ込み防止用ストッパー６８は、プリンタモジュール２０におけるストッパー対応部３０に接触している。この状態の接続は、嵌合状態であり、脱着可能な状態で接続されている。
【００３１】
上述のとおり、本実施の形態におけるプリンタユニット１０は、プリンタモジュール２０、固定刃モジュール４０、駆動モジュール５０及び可動刃モジュール６０を嵌合させて、脱着可能な状態で接続することにより作製することができる。
【００３２】
尚、図２２に示すように、上述したプリンタモジュール２０と固定刃モジュール４０とを上述した方法と同様の方法で嵌合させ、脱着可能な状態で接続することにより、図２３に示すように、手で引っ張ることにより用紙を切断する固定刃４１のみを有するプリンタユニット７０を作製することも可能である。
【００３３】
〔第２の実施の形態〕
次に、第２の実施の形態について説明する。本実施の形態は、図２４に示されるように、駆動モジュール５０が、駆動ギアモジュール１１０とモータモジュール１２０とを脱着可能な状態で接続した構造のものである。尚、図２４（ａ）は、駆動ギアモジュール１１０とモータモジュール１２０とを接続している状態を示すものであり、図２４（ｂ）は、駆動ギアモジュール１１０とモータモジュール１２０とが分離した状態を示すものである。このように駆動ギアモジュール１１０とモータモジュール１２０とが脱着可能な状態で接続されているため、容易に駆動ギアモジュール１１０のみ、または、モータモジュール１２０のみを各々交換することが可能であり、短時間に低価格でメンテナンスを行うことができる。尚、駆動ギアモジュール１１０には、モータモジュール１２０におけるモータ１２１の回転を受け回転するギアユニット１１１を有しており、モータモジュール１２０には、モータ（可動刃用モータ）１２１を回転させるための電力を供給するための配線部１２２を有している。
【００３４】
以上、本発明の実施に係る形態について説明したが、上記内容は、発明の内容を限定するものではない。
【符号の説明】
【００３５】
１０    プリンタユニット
２０    プリンタモジュール
２１    モータ（紙送り用モータ）
２２    ギア部
２３    凹部
２４    引っ掛け部
２５    ロック部挿入部
２６    位置出し用凸部挿入部
２７    引っ掛け部
２８    軸受誘導凸部嵌合部
２９    軸受部
３０    ストッパー対応部
４０    固定刃モジュール
４１    固定刃
４２    ロック部
４３    位置出し用凸部
４４    引っ掛け部
５０    駆動モジュール
５１    モータ
５２    ギア部
５３    凸部
５４    ロック部
６０    可動刃モジュール
６１    可動刃
６２    ギア部
６３    機構部
６４    プラテンローラ
６５    軸部
６６    歯車
６７    軸受誘導凸部
６８    倒れ込み防止用ストッパー
１１０  駆動ギアモジュール
１２０  モータモジュール
【図４】
0005502545.tif 000002
【図５】
0005502545.tif 000003
【図６】
0005502545.tif 000004
【図７】
0005502545.tif 000005
【図８】
0005502545.tif 000006
【図９】
0005502545.tif 000007
【図１０】
0005502545.tif 000008
【図１１】
0005502545.tif 000009
【図１２】
0005502545.tif 000010
【図１３】
0005502545.tif 000011
【図１４】
0005502545.tif 000012
【図１５】
0005502545.tif 000013
【図１６】
0005502545.tif 000014
【図１７】
0005502545.tif 000015
【図１８】
0005502545.tif 000016
【図１９】
0005502545.tif 000017
【図２０】
0005502545.tif 000018
【図２１】
0005502545.tif 000019
【図２２】
0005502545.tif 000020
【図２３】
0005502545.tif 000021
【図２４】
0005502545.tif 000022
【図１】
0005502545.tif 000023
【図２】
0005502545.tif 000024
【図３】
0005502545.tif 000025